(57)【特許請求の範囲】
【請求項１】
複数の照明器具と電波通信する無線通信器であって、
前記複数の照明器具の作動を制御する管理装置から、前記複数の照明器具の作動信号を有線で受信する有線通信部と、
前記有線通信部で受信した前記作動信号を変換して電波で前記複数の照明器具に送信する電波通信部と、
リモートコントローラから送信される赤外線信号を受信する赤外線受信部と、
前記有線通信部、前記電波通信部および前記赤外線受信部を制御する制御部と
を備え、
前記制御部は、前記有線通信部で前記管理装置から所定パターンの信号を受信した場合に、前記リモートコントローラの前記赤外線信号を受信可能とし、前記リモートコントローラから送信された前記赤外線信号に基づいて前記電波通信部と前記複数の照明器具との通信設定に関する信号を、前記電波通信部を介して前記複数の照明器具に送信する
無線通信器。
【請求項２】
前記通信設定に関する信号は、前記複数の照明器具が電波信号に基づいて作動するように、前記複数の照明器具に共有コードを設定する信号である
請求項１に記載の無線通信器。
【請求項３】
前記通信設定に関する信号は、前記電波通信部と前記複数の照明器具とが通信する際の通信周波数を設定する信号である
請求項１に記載の無線通信器。
【請求項４】
前記作動信号は、前記複数の照明器具を調光する調光制御信号であり、
前記所定パターンの信号は、前記調光制御信号とは異なる予め設定されたパターンの信号である
請求項１〜３のいずれかに記載の無線通信器。
【請求項５】
複数の照明器具と、
前記複数の照明器具の作動を制御する管理装置と、
前記管理装置から送信された前記複数の照明器具を作動する作動信号を、電波通信を用いて前記複数の照明器具へ送信する複数の無線通信器と、
前記複数の無線通信器に赤外線信号を送信するリモートコントローラと
を備える照明システムであって、
前記複数の無線通信器のそれぞれは、
前記管理装置から前記作動信号を有線で受信する有線通信部と、
前記有線通信部で受信した前記作動信号を変換して電波で前記複数の照明器具に送信する電波通信部と、
前記リモートコントローラから送信された前記赤外線信号を受信する赤外線受信部と、
前記有線通信部、前記電波通信部および前記赤外線受信部を制御する制御部と
を備え、
前記複数の無線通信器の前記制御部のそれぞれは、前記有線通信部で前記管理装置から所定パターンの信号を受信した場合に、前記リモートコントローラの前記赤外線信号を受信可能とし、前記リモートコントローラから送信された前記赤外線信号に基づいて前記電波通信部と前記複数の照明器具との通信設定に関する信号を、前記電波通信部を介して前記複数の照明器具に送信する
照明システム。
【請求項６】
前記複数の照明器具のうちの所定の操作が行われた前記照明器具は、前記通信設定に関する信号を受け入れて、前記通信設定に基づく設定が施される
請求項５に記載の照明システム。
【発明の詳細な説明】
【技術分野】
【０００１】
本発明は、複数の照明器具と電波通信する無線通信器、および、この無線通信器を複数備える照明システムに関する。
【背景技術】
【０００２】
従来、照明システムの一例として、複数の照明器具と、複数の照明器具の点灯を制御する管理装置（コントローラ）とを備える照明システムが知られている（特許文献１参照）。この管理装置は、無線通信器（アンテナ）を用いて電波信号を送信することで複数の照明器具の点灯を制御している。
【先行技術文献】
【特許文献】
【０００３】
【特許文献１】特開２００４−２６５７９３号公報
【発明の概要】
【発明が解決しようとする課題】
【０００４】
複数の照明器具が建物の造営材（天井など）に設置された施工直後は、通常は、無線通信器と各照明器具との通信設定がされておらず、各照明器具を点灯制御することができない状態にある。そのため、施工直後に無線通信器と各照明器具との通信設定を行う必要が生じるが、従来は、この通信設定を行うために多大な労力を有する場合があった。
【０００５】
そこで、本発明は、照明器具との通信設定を容易に行うことができる無線通信器等を提供する。
【課題を解決するための手段】
【０００６】
本発明の無線通信器は、複数の照明器具と電波通信する無線通信器であって、前記複数の照明器具の作動を制御する管理装置から、前記複数の照明器具の作動信号を有線で受信する有線通信部と、前記有線通信部で受信した前記作動信号を変換して電波で前記複数の照明器具に送信する電波通信部と、リモートコントローラから送信される赤外線信号を受信する赤外線受信部と、前記有線通信部、前記電波通信部および前記赤外線受信部を制御する制御部とを備え、前記制御部は、前記有線通信部で前記管理装置から所定パターンの信号を受信した場合に、前記リモートコントローラの前記赤外線信号を受信可能とし、前記リモートコントローラから送信された前記赤外線信号に基づいて前記電波通信部と前記複数の照明器具との通信設定に関する信号を、前記電波通信部を介して前記複数の照明器具に送信する。
【０００７】
また、本発明の照明システムは、複数の照明器具と、前記複数の照明器具の作動を制御する管理装置と、前記管理装置から送信された前記複数の照明器具を作動する作動信号を、電波通信を用いて前記複数の照明器具へ送信する複数の無線通信器と、前記複数の無線通信器に赤外線信号を送信するリモートコントローラとを備える照明システムであって、前記複数の無線通信器のそれぞれは、前記管理装置から前記作動信号を有線で受信する有線通信部と、前記有線通信部で受信した前記作動信号を変換して電波で前記複数の照明器具に送信する電波通信部と、前記リモートコントローラから送信された前記赤外線信号を受信する赤外線受信部と、前記有線通信部、前記電波通信部および前記赤外線受信部を制御する制御部とを備え、前記複数の無線通信器の前記制御部のそれぞれは、前記有線通信部で前記管理装置から所定パターンの信号を受信した場合に、前記リモートコントローラの前記赤外線信号を受信可能とし、前記リモートコントローラから送信された前記赤外線信号に基づいて前記電波通信部と前記複数の照明器具との通信設定に関する信号を、前記電波通信部を介して前記複数の照明器具に送信する。
【発明の効果】
【０００８】
本発明の無線通信器は、照明器具との通信設定を容易に行うことができる。
【０００９】
また、本発明の照明システムは、複数の無線通信器と複数の照明器具との通信設定を容易に行うことができる。
【図面の簡単な説明】
【００１０】
【図１】実施の形態に係る照明システムを示す概略図である。
【図２】実施の形態に係る照明システムに用いられる無線通信器とリモートコントローラとの関係を示す図である。
【図３】実施の形態に係る無線通信器の制御構成を示すブロック図である。
【図４】実施の形態に係る照明システムで用いられる照明器具の制御構成を示すブロック図である。
【図５】実施の形態に係る照明システムで用いられる管理装置の制御構成を示すブロック図である。
【図６】実施の形態に係る照明システムで用いられるリモートコントローラの制御構成を示すブロック図である。
【図７】実施の形態に係る照明システムにおいて通信設定を行う際のフローを示す図である。
【図８】通信設定をする前の照明システムの状態を示す概略図である。
【図９】通信設定をしている途中の照明システムの状態を示す概略図である。
【発明を実施するための形態】
【００１１】
以下、実施の形態に係る無線通信器および照明システムについて、図面を参照しながら説明する。なお、以下に説明する実施の形態は、いずれも本発明の好ましい一具体例を示すものである。したがって、以下の実施の形態で示される、数値、形状、材料、構成要素、構成要素の配置位置および接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化する。
【００１３】
（実施の形態）
＜照明システムの全体構成等＞
まず、実施の形態に係る照明システムの全体構成を説明する。図１は、実施の形態に係る照明システム１００を示す概略図である。
【００１４】
照明システム１００は、複数の照明器具１０Ａ、１０Ｂ、１０Ｃ、１０Ｄ、１０Ｅ、１０Ｆ、１０Ｇ、１０Ｈ、１０Ｉ、１０Ｊ、１０Ｋ、１０Ｌと、照明器具１０Ａ〜１０Ｌと電波通信する複数の無線通信器２０ａ〜２０ｄと、照明器具１０Ａ〜１０Ｌの作動を制御する管理装置３０とを備える。また、照明システム１００は、リモートコントローラ４０を備える。
【００１５】
管理装置３０は、有線で無線通信器２０ａ〜２０ｄと接続されている。管理装置３０は、無線通信器２０ａ〜２０ｄを用いて電波信号ｒ１、ｒ２、ｒ３、ｒ４を送信し、照明器具１０Ａ〜１０Ｌの点灯を制御する。
【００１６】
具体的には、無線通信器２０ａは、電波信号ｒ１をグループＧ１に属する照明器具１０Ａ〜１０Ｃへ送信するように通信設定されている。無線通信器２０ｂは、電波信号ｒ２をグループＧ２に属する照明器具１０Ｄ〜１０Ｆへ送信するように通信設定されている。無線通信器２０ｃは、電波信号ｒ３をグループＧ３に属する照明器具１０Ｇ〜１０Ｉへ送信するように通信設定されている。無線通信器２０ｄは、電波信号ｒ４をグループＧ４に属する照明器具１０Ｊ〜１０Ｌへ送信するように通信設定されている。電波信号ｒ１〜ｒ４を送るための通信方式としては、９２０ＭＨｚ帯もしくは２．４ＧＨｚ帯の周波数を利用した特定小電力無線、または、ＷｉＦｉ（登録商標）などの方式が用いられる。
【００１７】
また、無線通信器２０ａ〜２０ｄは赤外線受信部２２（図３参照）を有し、リモートコントローラ４０から送信された赤外線信号ｉ１を受信するように構成されている。
【００１８】
図１では、一例として１２台の照明器具１０Ａ〜１０Ｌが示されているが、実際は、体育館や店舗などの建物の天井９０に５０台以上の照明器具が設置されることがある。
【００１９】
照明器具１０Ａ〜１０Ｌを点灯制御するためには、照明システム１００での通信設定が確立されている必要がある。本実施の形態では、無線通信器２０ａ〜２０ｄおよび照明器具１０Ａ〜１０Ｌを建物の天井９０に設置した後（施工後）に、リモートコントローラ４０を用いて無線通信器２０ａ〜２０ｄと照明器具１０Ａ〜１０Ｌとの通信設定を行う。
【００２０】
図２は、照明システム１００に用いられる無線通信器２０ａ〜２０ｄとリモートコントローラ４０との関係を示す図である。
【００２１】
無線通信器２０ａ〜２０ｄは、照明器具１０Ａ〜１０Ｌと同様に天井９０に設置されている。無線通信器２０ａ〜２０ｄは、施工時の配線工数を削減するために、隣り合う間隔が狭くなるように並んで設置される。具体的には、無線通信器２０ａ〜２０ｄが隣り合う間隔は、照明器具１０Ａ〜１０Ｌが隣り合う間隔よりも小さい。
【００２２】
無線通信器２０ａ〜２０ｄが備える赤外線受信部２２は、例えば赤外線センサーであり、距離が離れるにしたがい赤外線受光エリアＥａ、Ｅｂ、Ｅｃ、Ｅｄが広がっている。そのため、例えば、リモートコントローラ４０の赤外線信号ｉ１を無線通信器２０ａに向けて送信する場合に、隣に位置する無線通信器２０ｂがその赤外線信号ｉ１を受信してしまい、通信設定を適切に行えないという問題がある。特に、体育館のように天井９０が高い建物に無線通信器２０ａ〜２０ｄが設置されている場合は、上記に示す問題が顕著となる。
【００２３】
本実施の形態では、照明システム１００が以下に示す構成を有することで、照明システム１００における通信設定、すなわち、無線通信器２０ａ〜２０ｄと照明器具１０Ａ〜１０Ｌとの通信設定を容易に行うことができる。
【００２４】
以下、照明システム１００を構成する無線通信器２０ａ〜２０ｄ、照明器具１０Ａ〜１０Ｌ、管理装置３０およびリモートコントローラ４０について順に説明する。
【００２５】
＜無線通信器＞
図３は、無線通信器２０ａ〜２０ｄの制御構成を示すブロック図である。
【００２６】
無線通信器２０ａ〜２０ｄのそれぞれは、有線通信部２１と、電波通信部２４と、赤外線受信部２２と、制御部２３とを備えている。有線通信部２１は、管理装置３０から送信された照明器具１０Ａ〜１０Ｌの作動信号を有線で受信する。電波通信部２４は、有線通信部２１で受信した作動信号を変換して電波で複数の照明器具１０Ａ〜１０Ｌに送信する。赤外線受信部２２は、リモートコントローラ４０から送信された赤外線信号ｉ１を受信する。
【００２７】
制御部２３は、ＣＰＵ（central processing unit）、ＲＡＭ（Random Access Memory）およびＲＯＭ（read only memory）などにより構成されている。制御部２３は、照明器具１０Ａ〜１０Ｌが点灯制御されているときはもちろん、施工後に通信設定を行う際にも有線通信部２１、電波通信部２４および赤外線受信部２２を制御する。
【００２８】
通信設定を行う際は、まず、複数の無線通信器２０ａ〜２０ｄのうちの１つの無線通信器に、管理装置３０から所定のパターンの信号が送られる。所定パターンの信号を受信した１つの無線通信器は、リモートコントローラ４０からの赤外線信号ｉ１を受信可能となる。例えば、無線通信器２０ａが所定パターンの信号を受信した場合、他の無線通信器２０ｂ〜２０ｄはリモートコントローラ４０からの赤外線信号ｉ１を無視する状態になり、無線通信器２０ａのみが赤外線信号ｉ１のコマンドを受け入れ可能な状態となる。このように管理装置３０から１つの無線通信器に対して所定パターンの信号が送られることで、図２に示されるように、無線通信器２０ａ〜２０ｄの赤外線受光エリアＥａ〜Ｅｄが重なっていても、１つの無線通信器に対して通信設定を施すことが可能となる。
【００２９】
例えば、赤外線信号ｉ１を受信可能となった無線通信器２０ａは、リモートコントローラ４０の赤外線信号ｉ１の初期設定コマンドに基づいて、電波通信部２４と照明器具１０Ａ〜１０Ｌとの通信設定に関する信号を、電波通信部２４を介して照明器具１０Ａ〜１０Ｌに送信する。このとき、無線通信器２０ａは、自身が有するユニークな共有コードを電波信号ｒ１にのせて、ブロードキャスト的に送信する。所定の操作が行われた照明器具（例えば、照明器具１０Ａ〜１０Ｃ）はこの共有コードを受け取り、以降、無線通信器２０ａの電波信号ｒ１を介して作動制御される。上記所定の操作については後述する。
【００３０】
＜照明器具＞
照明器具１０Ａ〜１０Ｌは、例えば、ＬＥＤライトである。本実施の形態では、図１に示されるように、照明器具１０Ａ〜１０Ｌが行列状に配置されている。なお、照明器具１０Ａ〜１０Ｌは、ＬＥＤライトに限られず、シーリングライトであってもよい。
【００３１】
図４は、照明器具１０Ａ〜１０Ｌの制御構成を示すブロック図である。照明器具１０Ａ〜１０Ｌのそれぞれは、電波通信部１１、光源１４、赤外線受信部１２および制御部１３を備えている。
【００３２】
電波通信部１１は、管理装置３０から無線通信器２０ａ〜２０ｄを介して送信された作動信号を受信する。光源１４は、例えば、白色光、赤色光、緑色光または青色光を発する複数の発光ダイオードを含んでいる。光源１４は、電波通信部１１で受信した作動信号に基づき調光制御および／または調色制御される。赤外線受信部１２は、リモートコントローラ４０から送信された赤外線信号ｉ１を受信する。
【００３３】
制御部１３は、ＣＰＵ、ＲＡＭおよびＲＯＭなどにより構成される。制御部１３は、光源１４が点灯制御されているときはもちろん、施工後に通信設定を行う際にも、電波通信部１１および赤外線受信部１２を制御する。
【００３４】
通信設定を行う際、照明器具１０Ａ〜１０Ｌには、１つの無線通信器から通信設定に関する信号が送られる。この通信設定に関する信号は、複数の照明器具１０Ａ〜１０Ｌが電波信号ｒ１〜ｒ４を介して作動するように、複数の照明器具１０Ａ〜１０Ｌのそれぞれに共有コードを設定する信号である。
【００３５】
例えば、無線通信器２０ａから、無線通信器２０ａが有するユニークな共有コードが、電波信号ｒ１を介して照明器具１０Ａ〜１０Ｌに送信される。そして、複数の照明器具１０Ａ〜１０Ｌのうち、所定の操作が行われた照明器具（例えば、照明器具１０Ａ〜１０Ｃ）は、この通信設定に関する信号を受け入れ、送信された共有コードを取り込む。ここで所定の操作とは、例えば、照明器具１０Ａ〜１０Ｃを再起動する操作である。照明器具１０Ａ〜１０Ｃは、再起動されることで、通信設定に関する信号を受け入れる。これにより、照明器具１０Ａ〜１０Ｃに通信設定に基づく設定が施され、無線通信器２０ａと照明器具１０Ａ〜１０Ｃとの通信設定が完了する。
【００３６】
同様に、残りの無線通信器２０ｂ〜２０ｄおよび照明器具１０Ｄ〜１０Ｌについても通信設定を施すことで、照明システム１００全体の通信設定が完了する。
【００３７】
なお、照明器具１０Ａ〜１０Ｌの再起動は、リモートコントローラ４０の赤外線信号ｉ１の再起動コマンドを受信することで実行されてもよい。また、照明器具１０Ａ〜１０Ｌの電源スイッチが建物の壁などに設けられている場合は、電源スイッチのＯＮ／ＯＦＦを切り替えることで実行されてもよい。
【００３８】
＜管理装置＞
管理装置３０は、照明器具１０Ａ〜１０Ｌの動作制御を行うための管理サーバである。
【００３９】
図５は、管理装置３０の制御構成を示すブロック図である。管理装置３０は、制御部３３、有線通信部３４、および操作スイッチ３１を備えている。
【００４０】
制御部３３および有線通信部３４は、装置本体に内蔵されている。操作スイッチ３１は、装置本体の外部であって、ユーザの手の届きやすい建物の壁などに設置される。また、操作スイッチ３１は、無線通信器２０ａ〜２０ｄのそれぞれに対応して複数設けられている。有線通信部３４は、無線通信器２０ａ〜２０ｄと有線接続されている。
【００４１】
制御部３３は、ＣＰＵ、ＲＡＭおよびＲＯＭなどにより構成される。制御部３３は、照明器具１０Ａ〜１０Ｌの動作を制御することはもちろん、施工時の通信設定の際にも、有線通信部３４を制御する。
【００４２】
通信設定を行う際は、管理装置３０は、例えば、無線通信器２０ａに対応する操作スイッチ３１がＯＮされることで、無線通信器２０ａに所定パターンの信号を送る。この操作により、無線通信器２０ａにおいて、リモートコントローラ４０の赤外線信号ｉ１を受信可能な状態とする。このような操作をきっかけとし、前述した無線通信器２０ａと照明器具１０Ａ〜１０Ｃとの通信設定が行われる。
【００４３】
なお、所定パターンの信号とは、照明器具１０Ａ〜１０Ｌを調光する調光制御信号とは異なる予め設定されたパターンの信号である。この調光制御信号は、ＰＷＭ（Pulse  Width  Modulation）信号により構成された特定のデューティ（ｄｕｔｙ）を有している。それに対し、通信設定の際に用いられる所定パターンの信号は、この特定のデューティと異なるデューティからなる。所定パターンの信号は、例えば、Ｈｉ信号を１分間出し続けるような信号であってもよいし、予め決められたＨｉ／Ｌｏｗの幅を有するパターンであってもよいし、Ｈｉ信号および予め決められたＨｉ／Ｌｏｗの幅を有するパターンを交互に出力する信号であってもよい。
【００４４】
＜リモートコントローラ＞
リモートコントローラ４０は、例えば、タブレット端末やスマートフォンである。本実施の形態におけるリモートコントローラ４０は、通信設定を行うための設定器として用いられる。
【００４５】
図６は、リモートコントローラ４０の制御構成を示すブロック図である。リモートコントローラ４０は、制御部４３、赤外線送信部４５、表示部４２、操作部４１および通信部４４を備えている。
【００４６】
制御部４３は、ＣＰＵ、ＲＡＭおよびＲＯＭなどにより構成され、表示部４２、操作部４１、赤外線送信部４５および通信部４４を制御する。制御部４３では、通信設定を行うにあたり、コマンド情報の読み出しが行われる。
【００４７】
赤外線送信部４５は、例えば、赤外線ＬＥＤなどの発信器であり、赤外線信号ｉ１を用いて無線通信器２０ａ〜２０ｄに通信設定に関するコマンドを送信する。この赤外線信号ｉ１による通信は、リモートコントローラ４０から無線通信器２０ａ〜２０ｄへの一方向通信である。本実施の形態では、リモートコントローラ４０に内蔵された赤外線送信部４５を用いて通信しているが、それに限られず、リモートコントローラ４０に接続された外付けの赤外線発信器により通信を行っても、実質的に、リモートコントローラ４０を用いて赤外線信号ｉ１の送信を行っていることになる。
【００４８】
操作部４１は、例えば、表示部４２と兼用されるタッチパネルである。この操作部４１を操作することで、無線通信器２０ａ〜２０ｄへの赤外線信号ｉ１の送信が行われる。
【００４９】
＜通信設定方法＞
次に、照明システム１００における通信設定の具体的な方法について説明する。
【００５０】
図７は、照明システム１００において通信設定を行う際のフローを示す図である。図８は、通信設定をする前の照明システム１００の状態を示す概略図である。図９は、通信設定をしている途中の照明システム１００の状態を示す概略図である。
【００５１】
照明器具１０Ａ〜１０Ｌおよび無線通信器２０ａ〜２０ｄを設置した施工直後は、図８に示されるように、照明器具１０Ａ〜１０Ｌと無線通信器２０ａ〜２０ｄとの対応付けがされておらず、また、照明器具１０Ａ〜１０Ｌのグループ分けもされていない状態にある。そこで、無線通信器２０ａ〜２０ｄと照明器具１０Ａ〜１０Ｌとの間で通信設定を行い、無線通信器２０ａ〜２０ｄと照明器具１０Ａ〜１０Ｌとの対応づけを行う。
【００５２】
ここでは、照明システム１００全体の通信設定の一部である、無線通信器２０ａおよび照明器具１０Ａ〜１０Ｃの通信設定を行う場合を、図７を用いて説明する。
【００５３】
まず、通信設定を行う無線通信器２０ａに対して、管理装置３０から所定パターンの信号を送信する（Ｓ１１）。この所定パターンの信号は、無線通信器２０ａに対応する管理装置３０の操作スイッチ３１を設定者がＯＮすることで、無線通信器２０ａに送られる。所定パターンの信号が出力される時間は、例えば約１分間であり、この間に通信設定を行う必要がある。所定パターンの信号は、調光信号とは異なる予め設定されたパターンの信号である。
【００５４】
無線通信器２０ａは、この所定パターンの信号を受けることで、赤外線信号ｉ１を受信可能な状態（活性化状態）となる（Ｓ１２）。すなわち、無線通信器２０ａは、リモートコントローラ４０の赤外線信号ｉ１の初期設定コマンドを受け入れ可能な状態となる。
【００５５】
次に、リモートコントローラ４０から無線通信器２０ａに向けて赤外線信号ｉ１を送信する（Ｓ１３）。この赤外線信号ｉ１の送信は、設定者がリモートコントローラ４０の操作部４１に触れることで実行される。なお、他の無線通信器２０ｂ〜２０ｄは、赤外線信号ｉ１のコマンドを受け入れる状態になっていないので、リモートコントローラ４０からの赤外線信号ｉ１が一時的にずれて、無線通信器２０ｂ〜２０ｄに向かって発信されても問題はない。
【００５６】
赤外線信号ｉ１を受信した無線通信器２０ａは、赤外線信号ｉ１の初期設定コマンドに基づき、電波通信部２４と照明器具１０Ａ〜１０Ｃとの通信設定に関する信号を、電波通信部２４を介して照明器具１０Ａ〜１０Ｃに送信する（Ｓ１４）。この通信設定に関する信号は、照明器具１０Ａ〜１０Ｃが無線通信器２０ａの電波信号ｒ１に基づいて作動するように、照明器具１０Ａ〜１０Ｃに共有コードを設定する信号である。なお、この通信設定に関する信号は、電波信号ｒ１にのせて他の照明器具１０Ｄ〜１０Ｌに向けても同時に送信される。
【００５７】
次に、無線通信器２０ａから通信設定に関する信号が送信された照明器具１０Ａ〜１０Ｃについて、通信設定に関する信号を受け入れる操作を行う（Ｓ１５）。具体的には、照明器具１０Ａ〜１０Ｃの電源をＯＮ／ＯＦＦし、再起動をかける。これにより、照明器具１０Ａ〜１０Ｃにて、通信設定に関する信号を受け入れ、無線通信器２０ａからの共有コードが取り込まれる。これらのフローにより、無線通信器２０ａと照明器具１０Ａ〜１０Ｃの通信設定が完了する。
【００５８】
この通信設定により、照明器具１０Ａ〜１０Ｃは、無線通信器２０ａの共有コードを含む電波信号ｒ１に従って動作制御されるようになる（図９参照）。一方、他の照明器具１０Ｄ〜１０Ｌは、無線通信器２０ａの共有コードを含む電波信号ｒ１には従わず、無視するようになる。
【００５９】
この図７に示すフローを、無線通信器２０ｂ〜２０ｄおよび照明器具１０Ｄ〜１０Ｌについても同様に行うことで、照明システム１００全体の通信設定が完了する。
【００６０】
なお、上記では施工直後において初期の通信設定を行う場合について説明したが、通信設定はこれに限られない。例えば、通信設定として、無線通信器２０ａと照明器具１０Ａ〜１０Ｃとが通信する際の通信周波数を設定変更してもよい。通信周波数を設定変更する場合であっても、上記通信設定の場合と同様の操作を行えばよい。すなわち、無線通信器２０ａの制御部２３は、有線通信部２１で管理装置３０から所定パターンの信号を受信した場合に、リモートコントローラ４０の赤外線信号ｉ１の通信周波数を変えるコマンドを受信可能とし、リモートコントローラ４０から送信された赤外線信号ｉ１に基づいて電波通信部２４と複数の照明器具１０Ａ〜１０Ｃとの通信設定に関する信号を、電波通信部２４を介して複数の照明器具１０Ａ〜１０Ｃに送信する。その後、照明器具１０Ａ〜１０Ｃにて同様に再起動すれば、通信周波数が設定変更される。
【００６１】
なお、通信周波数の変更をグループＧ１〜Ｇ４ごとに行う場合は、照明器具１０Ａ〜１０Ｌの一台ずつを再起動する必要はなく、例えば、無線通信器２０ａを用いて、グループＧ１一括して通信周波数を変更することもできる。
【００６２】
＜効果等＞
本実施の形態に係る無線通信器２０ａは、複数の照明器具１０Ａ〜１０Ｃと電波通信する無線通信器２０ａであって、複数の照明器具１０Ａ〜１０Ｃの作動を制御する管理装置３０から、複数の照明器具１０Ａ〜１０Ｃの作動信号を有線で受信する有線通信部２１と、有線通信部２１で受信した作動信号を変換して電波で複数の照明器具１０Ａ〜１０Ｃに送信する電波通信部２４と、リモートコントローラ４０から送信される赤外線信号ｉ１を受信する赤外線受信部２２と、有線通信部２１、電波通信部２４および赤外線受信部２２を制御する制御部２３とを備え、制御部２３は、有線通信部２１で管理装置３０から所定パターンの信号を受信した場合に、リモートコントローラ４０の赤外線信号ｉ１を受信可能とし、リモートコントローラ４０から送信された赤外線信号ｉ１に基づいて電波通信部２４と複数の照明器具１０Ａ〜１０Ｃとの通信設定に関する信号を、電波通信部２４を介して複数の照明器具１０Ａ〜１０Ｃに送信する。
【００６３】
この構成によれば、例えば無線通信器２０ａと照明器具１０Ａ〜１０Ｃとの通信設定を容易に行うことができる。また、管理装置３０に、照明器具１０Ａ〜１０Ｃの固有アドレスまたは照明器具１０Ａ〜１０Ｃの位置座標を記憶させなくても、無線通信器２０ａと照明器具１０Ａ〜１０Ｃとの通信設定を容易に行うことが可能となる。また、有線通信部２１で所定パターンの信号を受信した場合にリモートコントローラ４０の赤外線信号ｉ１を受信可能としているので、複数の無線通信器２０ａ〜２０ｄが狭い間隔で隣り合って配置されていても、隣に位置する無線通信器（例えば無線通信器２０ｂ）が赤外線信号ｉ１を受信しないようにし、所定の無線通信器（例えば無線通信器２０ａ）に赤外線信号ｉ１を受信させることができ、通信設定を適切に行うことができる。
【００６４】
また、通信設定に関する信号は、複数の照明器具１０Ａ〜１０Ｃが電波信号ｒ１に基づいて作動するように、複数の照明器具１０Ａ〜１０Ｃに共有コードを設定する信号であってもよい。
【００６５】
この構成によれば、施工後における無線通信器２０ａと照明器具１０Ａ〜１０Ｃとの通信設定を容易に行うことができる。また、通信設定を行った後、共有コードを用いたシンプルな電波信号によって照明器具１０Ａ〜１０Ｃの点灯制御を行うことができる。
【００６６】
また、通信設定に関する信号は、電波通信部２４と複数の照明器具１０Ａ〜１０Ｃとが通信する際の通信周波数を設定する信号であってもよい。
【００６７】
この構成によれば、無線通信器２０ａと照明器具１０Ａ〜１０Ｃとの通信周波数の変更を容易に行うことができる。
【００６８】
また、作動信号は、複数の照明器具１０Ａ〜１０Ｃを調光する調光制御信号であり、所定パターンの信号は、調光制御信号とは異なる予め設定されたパターンの信号であってもよい。
【００６９】
この構成によれば、無線通信器２０ａが赤外線信号ｉ１を確実に受信することができる。
【００７０】
また、本実施の形態の照明システム１００は、複数の照明器具１０Ａ〜１０Ｌと、複数の照明器具１０Ａ〜１０Ｌの作動を制御する管理装置３０と、管理装置３０から送信された複数の照明器具１０Ａ〜１０Ｌを作動する作動信号を、電波通信を用いて複数の照明器具１０Ａ〜１０Ｌへ送信する複数の無線通信器２０ａ〜２０ｄと、複数の無線通信器２０ａ〜２０ｄに赤外線信号ｉ１を送信するリモートコントローラ４０とを備える照明システム１００であって、複数の無線通信器２０ａ〜２０ｄのそれぞれは、管理装置３０から作動信号を有線で受信する有線通信部２１と、有線通信部２１で受信した作動信号を変換して電波で複数の照明器具１０Ａ〜１０Ｌに送信する電波通信部２４と、リモートコントローラ４０から送信された赤外線信号ｉ１を受信する赤外線受信部２２と、有線通信部２１、電波通信部２４および赤外線受信部２２を制御する制御部２３とを備え、複数の無線通信器２０ａ〜２０ｄの制御部２３のそれぞれは、有線通信部２１で管理装置３０から所定パターンの信号を受信した場合に、リモートコントローラ４０の赤外線信号ｉ１を受信可能とし、リモートコントローラ４０から送信された赤外線信号ｉ１に基づいて電波通信部２４と複数の照明器具１０Ａ〜１０Ｌとの通信設定に関する信号を、電波通信部２４を介して複数の照明器具１０Ａ〜１０Ｌに送信する。
【００７１】
この構成によれば、複数の無線通信器２０ａ〜２０ｄと複数の照明器具１０Ａ〜１０Ｌとの通信設定を容易に行うことができる。例えば、管理装置３０に、照明器具１０Ａ〜１０Ｌの固有アドレスまたは照明器具１０Ａ〜１０Ｌの位置座標を記憶させなくても、無線通信器２０ａ〜２０ｄと照明器具１０Ａ〜１０Ｌの通信設定を行うことが可能となる。
【００７２】
また、有線通信部２１で所定パターンの信号を受信した場合にリモートコントローラ４０の赤外線信号ｉ１を受信可能としているので、複数の無線通信器２０ａ〜２０ｄが狭い間隔で隣り合って配置されていても、隣に位置する無線通信器（例えば無線通信器２０ｂ）が赤外線信号ｉ１を受信しないようにし、所定の無線通信器（例えば無線通信器２０ａ）に赤外線信号ｉ１を受信させることができ、通信設定を適切に行うことができる。
【００７３】
また、複数の照明器具１０Ａ〜１０Ｌのうちの所定の操作が行われた照明器具は、通信設定に関する信号を受け入れて、通信設定に基づく設定が施されてもよい。
【００７４】
この構成によれば、複数の照明器具１０Ａ〜１０Ｌのうち、設定者が意図する照明器具について、確実に通信設定を施すことが可能となる。
【００７５】
（その他の形態）
以上、無線通信器２０ａ〜２０ｄおよび照明システム１００について、実施の形態に基づいて説明したが、本発明は、上記の実施の形態に限定されるものではない。例えば、上記の実施の形態に対して当業者が思いつく各種変形を施して得られる形態や、本発明の趣旨を逸脱しない範囲で実施の形態における構成要素および機能を任意に組み合わせることで実現される形態も本発明に含まれる。
【００７６】
例えば、照明器具１０Ａ〜１０Ｌのそれぞれの電波通信部２４とリモートコントローラ４０の通信部４４とを無線通信可能とし、リモートコントローラ４０から通信設定に関する確認があった場合に、リモートコントローラ４０の表示部４２に、照明器具１０Ａ〜１０Ｌについて通信設定が適切になされているかを表示するようにしてもよい。例えば、リモートコントローラ４０から赤外線信号ｉ１で照明器具１０Ａに対して通信設定に関する確認信号が送られた場合に、照明器具１０Ａがリモートコントローラ４０に対して、自分がどの無線通信器からの電波信号を受け入れ可能な状態に設定されているのか、また、通信周波数はどのチャンネルを使っているかなどの情報を送信してもよい。
【００７７】
また、照明器具１０Ａ〜１０ＬのうちのグループＧ１〜Ｇ４のそれぞれで、メッシュネットワークを形成し、このメッシュネットワークを経由して電波信号を伝送するようにしてもよい。
【符号の説明】
【００７８】
１０Ａ、１０Ｂ、１０Ｃ、１０Ｄ、１０Ｅ、１０Ｆ、１０Ｇ、１０Ｈ、１０Ｉ、１０Ｊ、１０Ｋ、１０Ｌ  照明器具
２０ａ、２０ｂ、２０ｃ、２０ｄ  無線通信器
２１    有線通信部
２２    赤外線受信部
２３    制御部
２４    電波通信部
３０    管理装置
４０    リモートコントローラ
１００  照明システム
ｉ１    赤外線信号
ｒ１、ｒ２、ｒ３、ｒ４  電波信号
【図１】
0006681585.tif 000002
【図２】
0006681585.tif 000003
【図３】
0006681585.tif 000004
【図４】
0006681585.tif 000005
【図５】
0006681585.tif 000006
【図６】
0006681585.tif 000007
【図７】
0006681585.tif 000008
【図８】
0006681585.tif 000009
【図９】
0006681585.tif 000010